(57)【要約】【課題】セキュリティ規格と同等の安全性を有する商品データ処理装置及び決済端末を提供する。【解決手段】実施形態によれば、商品データ処理装置は、筐体と、取得部と、通信部と、制御部と、第２の溝と、を備える。取得部は、代金を取得する。通信部は、第１の溝を備えカード状媒体を用いて決済を行う決済端末とデータを送受信する。制御部は、前記通信部を通じて、前記代金を前記決済端末に送信して決済を行う。第２の溝は、決済端末が前記筐体に載置された場合、前記第１の溝と連続する。【選択図】      図１
2019087085.tif 000002
【特許請求の範囲】
【請求項１】
筐体と、
代金を取得する取得部と、
第１の溝を備えカード状媒体を用いて決済を行う決済端末とデータを送受信する通信部と、
前記通信部を通じて、前記代金を前記決済端末に送信して決済を行う制御部と、
決済端末が前記筐体に載置された場合、前記第１の溝と連続する第２の溝と、
を備える商品データ処理装置。
【請求項２】
前記第２の溝は、前記第１の溝の一端に接続する第３の溝と、前記第１の溝の他端に接続する第４の溝と、から構成される、
前記請求項１に記載の商品データ処理装置。
【請求項３】
画像を印刷する印刷部を備え、
前記制御部は、
前記通信部を通じて決済に関する印字データを前記決済端末から受信し、
前記印刷部を用いて前記印字データに基づく画像を用紙に印刷する、
前記請求項１又は２に記載の商品データ処理装置。
【請求項４】
前記筐体は、前記決済端末が係合される係合部が形成される、
前記請求項１又は３の何れか１項に記載の商品データ処理装置。
【請求項５】
筐体と、
前記筐体に設けられた第１の溝と、
前記第１の溝の内側に設けられたカード状媒体の情報を読取る読取部と、
前記読取部によって読取られた情報に基づいて受信した代金を決済する決済手段と、
第２の溝を有する外部装置に前記筐体が載置された場合、前記第１の溝は、前記第２の溝と連続して配置される、
決済端末。
【発明の詳細な説明】
【技術分野】
【０００１】
本発明の実施形態は、商品データ処理装置及び決済端末に関する。
【背景技術】
【０００２】
商品などを販売する店舗において、クレジットカード情報などの漏洩がないようにセキュリティ規格（たとえば、ＰＣＩ  ＤＳＳ（Payment Card Industry Data Security Standard）規格など）を取得した決済端末が用いられることがある。しかしながら、ＰＯＳ（Point Of Sales）端末などは、筐体の大きさからセキュリティ規格を取得するのは困難である。
【先行技術文献】
【特許文献】
【０００３】
【特許文献１】特開平５−３３４５５２号公報
【発明の概要】
【発明が解決しようとする課題】
【０００４】
上記の課題を解決するため、セキュリティ規格と同等の安全性を有する商品データ処理装置及び決済端末を提供する。
【課題を解決するための手段】
【０００５】
実施形態によれば、実施形態によれば、商品データ処理装置は、筐体と、取得部と、通信部と、制御部と、第２の溝と、を備える。取得部は、代金を取得する。通信部は、第１の溝を備えカード状媒体を用いて決済を行う決済端末とデータを送受信する。制御部は、前記通信部を通じて、前記代金を前記決済端末に送信して決済を行う。第２の溝は、決済端末が前記筐体に載置された場合、前記第１の溝と連続する。
【図面の簡単な説明】
【０００６】
【図１】図１は、実施形態に係るＰＯＳ端末の外観の例を示す図である。
【図２】図２は、実施形態に係るＰＯＳ端末の外観の例を示す図である。
【図３】図３は、実施形態に係る本体の制御系の構成例を示すブロック図である。
【図４】図４は、実施形態に係る決済端末の外観の例を示す図である。
【図５】図５は、実施形態に係る決済端末の制御系の構成例を示すブロック図である。
【図６】図６は、実施形態に係るＰＯＳ端末の動作例を示すフローチャートである。
【発明を実施するための形態】
【０００７】
以下、実施形態について、図面を参照して説明する。  
実施形態に係るＰＯＳ端末は、物品又はサービス（商品）などをユーザのクレジットカード情報を用いて決済する。ＰＯＳ端末は、ユーザの所持するクレジットカードからクレジットカード情報を取得する。ＰＯＳ端末は、クレジットカードとしてのＩＣカード又は磁気カードからクレジットカード情報を取得する。ＰＯＳ端末は、クレジットカード情報に基づいて商品を決済する。たとえば、ＰＯＳ端末は、商品を販売する店舗などに設置される。
【０００８】
ＰＯＳ端末は、クレジットカード情報を取得して決済処理を行う決済端末を備える。ＰＯＳ端末は、決済端末との通信を維持しながら決済端末と分離する構造を有する。ＰＯＳ端末のオペレータは、ＰＯＳ端末と決済端末との通信を継続しながら、ＰＯＳ端末から決済端末を取りはずすことができる。たとえば、オペレータは、決済端末をユーザに提供し、決済端末にＰＩＮなどの入力を促す。
【０００９】
図１及び図２は、実施形態に係るＰＯＳ端末１の外観の例を示す。図１は、ＰＯＳ端末１の本体１０が決済端末２０と一体となっている場合の例を示す。図２は、ＰＯＳ端末１の本体１０が決済端末２０と分離した場合の例を示す。
【００１０】
図１が示すように、ＰＯＳ端末１（商品データ処理装置）は、本体１０及び決済端末２０などから構成される。本体１０と決済端末２０とは、ケーブル３０を介して互いに接続する。  
本体１０（上位装置）は、決済端末２０を用いて商品を決済する。本体１０は、商品の代金の決定、レシートなどの印刷、又は、現金の収受などを行う。本体１０は、筐体１１、表示部１２、操作部１３、印刷部１４及びドロワ１５などを備える。
【００１１】
筐体１１は、本体１０の外形を形成するフレームである。筐体１１は、たとえば、樹脂などから構成される。筐体１１には、表示部１２、操作部１３、印刷部１４及びドロワ１５などが形成される。
【００１２】
表示部１２は、後述するプロセッサ３１の制御により種々の情報を表示する。表示部１２は、筐体１１の上端部に上方に伸びるように設置される。たとえば、表示部１２は、液晶モニタから構成される。
【００１３】
操作部１３は、オペレータから種々の操作の入力を受け付ける。操作部１３は、受け付けた操作を示す信号をプロセッサ３１へ送信する。操作部１３は、筐体１１の中央部に形成される。たとえば、操作部１３は、キーボード及びテンキーなどから構成される。
【００１４】
印刷部１４は、プロセッサ３１からの制御により用紙の画像を印刷する。印刷部１４は、筐体１１の左端上部に形成される。たとえば、印刷部１４は、用紙を供給する供給部及び用紙に画像を形成する形成部などから構成される。たとえば、供給部は、熱によって印字可能な感熱紙を供給する。また、形成部は、感熱紙を加熱する加熱部などから構成される。印刷部１４は、形成部を用いて感熱紙を加熱することで、当該感熱紙に画像を印刷する。
【００１５】
ドロワ１５は、現金を格納する。ドロワ１５は、筐体１１の下部に形成される。たとえば、ドロワ１５は、引出状に形成され外部に開放する。ドロワ１５は、紙幣及びコインを区分して格納する。また、ドロワ１５は、プロセッサ３１からの信号などに基づいて外部に開放する。
【００１６】
また、筐体１１には、決済端末２０が係合される係合部１６が形成される。また、筐体１１には、係合部１６に通じる溝１７（第２の溝）が形成される。係合部１６及び溝１７は、筐体１１の右端に形成される。係合部１６及び溝１７については、後に詳述する。
【００１７】
決済端末２０は、ユーザのクレジットカードからクレジットカード情報を取得して商品を決済する。決済端末２０については、後に詳述する。
【００１８】
図２が示すように、本体１０は、決済端末２０と分離することができる。図２が示す例では、決済端末２０は、本体１０の係合部１６から取り外される。本体１０は、係合部１６から取り外された決済端末２０とケーブル３０を通じて通信可能に接続する。即ち、本体１０のプロセッサ３１は、ケーブル３０を通じて決済端末２０と通信する。
【００１９】
ケーブル３０は、所定の長さに形成される。ケーブル３０は、本体１０と決済端末２０とを通信可能に接続する。たとえば、ケーブル３０は、ＵＳＢケーブル又はＬＡＮケーブルなどである。
【００２０】
なお、本体１０は、決済端末２０が係合部１６に係合されている場合に、ケーブル３０を巻き取る構成を備えてもよい。
【００２１】
次に、本体１０の制御系について説明する。  
図３は、本体１０の制御系の構成例を示すブロック図である。図３が示すように、本体１０は、プロセッサ３１、ＲＯＭ３２、ＲＡＭ３３、ＮＶＭ３４、端末通信部３５、外部通信部３６、表示部１２、操作部１３、印刷部１４及びドロワ１５などを備える。プロセッサ３１と、ＲＯＭ３２、ＲＡＭ３３、ＮＶＭ３４、端末通信部３５、外部通信部３６、表示部１２、操作部１３、印刷部１４及びドロワ１５とは、データバスなどを介して互いに接続する。
【００２２】
表示部１２、操作部１３、印刷部１４及びドロワ１５については、前述の通りである。
【００２３】
プロセッサ３１（制御部）は、本体１０全体の動作を制御する機能を有する。プロセッサ３１は、内部キャッシュ及び各種のインターフェースなどを備えてもよい。プロセッサ３１は、内部メモリ、ＲＯＭ３２又はＮＶＭ３４が予め記憶するプログラムを実行することにより種々の処理を実現する。
【００２４】
なお、プロセッサ３１がプログラムを実行することにより実現する各種の機能のうちの一部は、ハードウエア回路により実現されるものであってもよい。この場合、プロセッサ３１は、ハードウエア回路により実行される機能を制御する。
【００２５】
ＲＯＭ３２は、制御プログラム及び制御データなどが予め記憶された不揮発性のメモリである。ＲＯＭ３２に記憶される制御プログラム及び制御データは、本体１０の仕様に応じて予め組み込まれる。ＲＯＭ３２は、たとえば、本体１０の回路基板を制御するプログラム（たとえば、ＢＩＯＳ）などを格納する。
【００２６】
ＲＡＭ３３は、揮発性のメモリである。ＲＡＭ３３は、プロセッサ３１の処理中のデータなどを一時的に格納する。ＲＡＭ３３は、プロセッサ３１からの命令に基づき種々のアプリケーションプログラムを格納する。また、ＲＡＭ３３は、アプリケーションプログラムの実行に必要なデータ及びアプリケーションプログラムの実行結果などを格納してもよい。
【００２７】
ＮＶＭ３４は、データの書き込み及び書き換えが可能な不揮発性のメモリである。ＮＶＭ３４は、たとえば、ＨＤＤ（Hard Disk Drive）、ＳＳＤ（Solid State Drive）、ＥＥＰＲＯＭ（登録商標）又はフラッシュメモリなどから構成される。ＮＶＭ３４は、ＰＯＳ端末１の運用用途に応じて制御プログラム、アプリケーション及び種々のデータなどを格納する。
【００２８】
また、ＮＶＭ３４は、ＰＬＵ（Price Look UP）ファイルを格納する。  
ＰＬＵファイルは、商品の価格などを格納する。たとえば、ＰＬＵファイルは、商品を特定する商品情報と、当該商品の商品名及び価格とを対応付けて格納する。
【００２９】
端末通信部３５は、決済端末２０とデータを送受信するためのインターフェースである。端末通信部３５は、たとえば、ＵＳＢ接続をサポートするものである。また、端末通信部３５は、ＬＡＮ接続をサポートするものであってもよい。また、端末通信部３５は、独自の規格をサポートするものであってもよい。端末通信部３５がサポートする規格は、特定の構成に限定されるものではない。端末通信部３５は、ケーブル３０を介して決済端末２０に接続する。
【００３０】
外部通信部３６は、外部のネットワークを通じて外部装置とデータを送受信するためのインターフェースである。たとえば、外部通信部３６は、インターネットに接続するためのインターフェースである。外部通信部３６は、たとえば、ＬＡＮ接続をサポートするインターフェースである。外部通信部３６は、クレジットカード情報で商品を決済するためのクレジットサーバなどに接続する。
【００３１】
なお、本体１０は、図１乃至３が示すような構成の他に必要に応じた構成をさらに具備したり、本体１０から特定の構成が除外されたりしてもよい。
【００３２】
次に、決済端末２０について説明する。  
決済端末２０は、クレジットカード情報を用いて商品を決済する。決済端末２０は、プロセッサ３１から代金を示す代金情報を取得する。また、決済端末２０は、ユーザが所持するクレジットカードからクレジットカード情報を取得する。決済端末２０は、代金情報及びクレジットカード情報に基づいて決済処理を行う。
【００３３】
また、決済端末２０は、所定のセキュリティ規格を取得したものである。たとえば、決済端末２０は、ＰＣＩ  ＤＳＳ規格を取得したものである。
【００３４】
図４は、決済端末２０の外観の例を示す。図４が示すように、決済端末２０は、筐体２１、表示部２２、操作部２３、ＩＣリーダ２５及び磁気リーダ２７などを備える。
【００３５】
筐体２１は、決済端末２０の外形を形成するフレームである。ここでは、筐体２１は、矩形に形成される。筐体２１は、たとえば、樹脂などから構成される。筐体２１には、表示部２２及び操作部２３が形成される。また、筐体２１には、開口部２４及び溝２６（第１の溝）が形成される。また、筐体２１は、ＩＣリーダ２５及び磁気リーダ２７を格納する。
【００３６】
表示部２２、操作部２３及び溝２６は、筐体２１の同一面に形成される。  
表示部２２は、後述するプロセッサ４１の制御により種々の情報を表示する。表示部２２は、筐体２１の上方部に設置される。たとえば、表示部２２は、液晶モニタから構成される。
【００３７】
操作部２３は、オペレータから種々の操作の入力を受け付ける。操作部２３は、受け付けた操作を示す信号をプロセッサ４１へ送信する。操作部２３は、筐体２１の下方部に形成される。たとえば、操作部２３は、キーボード及びテンキーなどから構成される。
【００３８】
開口部２４は、筐体２１の所定の面に形成される。開口部２４は、一方方向に伸びる形状を有する。開口部２４は、ＩＣカード４を挿入可能に形成される。開口部２４は、ＩＣリーダ２５に通じる。即ち、ＩＣリーダ２５は、開口部２４に挿入されたＩＣカード４のＩＣチップ４ａを読み取ることができる。
【００３９】
ＩＣリーダ２５は、ＩＣカード４のＩＣチップ４ａとデータを送受信するためのインターフェースである。ＩＣリーダ２５は、ＩＣチップ４ａの通信方式に応じたインターフェースにより構成される。ＩＣリーダ２５は、接触してＩＣチップ４ａとデータを送受信する。
【００４０】
たとえば、ＩＣリーダ２５は、ＩＣカード４のＩＣチップ４ａのコンタクト部と物理的かつ電気的に接続するための接触部などにより構成される。  
なお、ＩＣリーダ２５は、ＩＣチップ４ａと非接触でデータを送受信するためのインターフェースであってもよい。
【００４１】
ここでは、ＩＣカード４は、ユーザのクレジットカード情報を格納する。ＩＣカード４は、プラスチックなどで形成されたカード状の本体を有する。ＩＣカード４は、本体内にクレジットカード情報を格納するＩＣチップ４ａを備える。ＩＣチップ４ａは、ＩＣリーダ２５と接触するコンタクト部などを備える。ＩＣチップ４ａは、ＩＣリーダ２５からのコマンドに応じて種々の動作を行う。
【００４２】
溝２６は、筐体２１の一辺から当該一辺に対向する辺に亘って形成される。溝２６は、筐体２１の右端に形成される。溝２６は、直線状に形成される。
【００４３】
溝２６の内部には、磁気リーダ２７が形成される。即ち、磁気リーダ２７は、オペレータによって磁気カード３が溝２６に通された場合に、磁気カード３の磁気ストライプを読み取ることができる。
【００４４】
磁気リーダ２７（読取部）は、磁気カード３からデータを読み取る。即ち、磁気リーダ２７は、磁気カード３の磁気ストライプからデータを読み取る。磁気リーダ２７は、磁気ストライプに接触してデータを読み取るコンタクト部などから構成される。
【００４５】
溝２６は、磁気リーダ２７が磁気カード３の磁気ストライプを読み取ることできる深さを有する。たとえば、溝２６は、磁気カード３の短辺の３分の１程度の深さを有する。
【００４６】
ここでは、磁気カード３は、ユーザのクレジットカード情報を格納する。即ち、磁気カード３の磁気ストライプは、ユーザのクレジットカード情報を格納する。
【００４７】
次に、決済端末２０の制御系について説明する。  
図５は、決済端末２０の制御系の構成例を示すブロック図である。図５が示すように、決済端末２０は、プロセッサ４１、ＲＯＭ４２、ＲＡＭ４３、ＮＶＭ４４、端末通信部４５、外部通信部４６、表示部２２、操作部２３、ＩＣリーダ２５及び磁気リーダ２７などを備える。プロセッサ４１と、ＲＯＭ４２、ＲＡＭ４３、ＮＶＭ４４、端末通信部４５、外部通信部４６、表示部２２、操作部２３、ＩＣリーダ２５及び磁気リーダ２７とは、データバスなどを介して互いに接続する。
【００４８】
表示部２２、操作部２３、ＩＣリーダ２５及び磁気リーダ２７については、前述の通りである。
【００４９】
プロセッサ４１（制御部）は、決済端末２０全体の動作を制御する機能を有する。  
ＲＯＭ４２は、制御プログラム及び制御データなどが予め記憶された不揮発性のメモリである。  
ＲＡＭ３３は、揮発性のメモリである。  
ＮＶＭ３４は、データの書き込み及び書き換えが可能な不揮発性のメモリである。
【００５０】
端末通信部４５は、本体１０とデータを送受信するためのインターフェースである。端末通信部４５は、たとえば、ＵＳＢ接続をサポートするものである。また、端末通信部４５は、ＬＡＮ接続をサポートするものであってもよい。また、端末通信部５５は、独自の規格をサポートするものであってもよい。端末通信部５５がサポートする規格は、特定の構成に限定されるものではない。端末通信部４５は、ケーブル３０を介して本体１０に接続する。
【００５１】
外部通信部４６は、外部のネットワークを通じて外部装置とデータを送受信するためのインターフェースである。たとえば、外部通信部４６は、インターネットに接続するためのインターフェースである。外部通信部４６は、たとえば、ＬＡＮ接続をサポートするインターフェースである。外部通信部４６は、クレジットカード情報で商品を決済するためのクレジットサーバなどに接続する。外部通信部４６は、筐体１１内を通過するケーブルと接続するものであってもよい。また、外部通信部４６は、筐体１１外のケーブルと接続するものであってもよい。また、外部通信部４６は、無線でルータなどに接続するものであってもよい。
【００５２】
なお、決済端末２０は、ケーブル３０を介して電力の供給を受けてもよい。また、決済端末２０は、他のケーブルを介して電力の供給を受けてもよい。
【００５３】
また、決済端末２０は、図４及び５が示すような構成の他に必要に応じた構成をさらに具備したり、決済端末２０から特定の構成が除外されたりしてもよい。
【００５４】
次に、係合部１６及び溝１７について説明する。  
係合部１６は、決済端末２０が係合されるように形成される。即ち、係合部１６は、決済端末２０の筐体２１に対応する形状を有する。ここでは、係合部１６は、筐体２１に合わせた矩形に形成される。
【００５５】
また、係合部１６は、決済端末２０の表示部２２、操作部２３、開口部２４及び溝２６が外部からアクセス可能に形成される。即ち、係合部１６は、決済端末２０の上面及び前面が開放された状態で決済端末２０が係合される。
【００５６】
また、係合部１６は、決済端末２０が取り外し可能に係合される。たとえば、係合部１６は、上面及び側面を露出させる。決済端末２０は、筐体１１に対して上部又は側部から係合部１６に挿入され固定される。
【００５７】
溝１７は、決済端末２０の溝２６を連続するように形成される。即ち、決済端末２０が係合部１６に固定される場合、溝１７は、溝２６と直線状に連続するように形成される。また、決済端末２０が係合部１６に固定される場合、溝１７の底面は、溝２６の底面と連続する。
【００５８】
溝１７は、溝１７ａ（第３の溝）及び溝１７ｂ（第４の溝）から構成される。溝１７ａは、決済端末２０の背面側に形成される。即ち、溝１７ａは、溝２６の一端と接続する。また、溝１７ｂは、決済端末２０の前面側に形成される。即ち、溝１７ｂは、溝２６の他端と接続する。
【００５９】
次に、本体１０が実現する機能について説明する。本体１０が実現する機能は、プロセッサ３１がＮＶＭ３４などに格納されるプログラムを実行することで実現される。
【００６０】
まず、プロセッサ３１は、ユーザから収受する代金を決定する機能を有する。  
たとえば、プロセッサ３１は、スキャナなどを用いてユーザが購入する商品を示す商品情報（たとえば、バーコード）を読み取る。商品情報を読み取ると、プロセッサ３１は、ユーザが購入する商品を示す購入リストを生成し、購入リストに商品情報を格納する。購入リストに商品情報を格納すると、プロセッサ３１は、ＰＬＵファイルを参照して商品情報に紐付いた代金を取得する。代金を取得すると、プロセッサ３１は、購入リストに当該商品情報と対応付けて代金を格納する。
【００６１】
なお、プロセッサ３１は、複数の商品から商品情報を読み取った場合には、各商品情報に紐付く代金を取得して、購入リストに各商品情報と各代金とを対応付けて格納する。
【００６２】
代金を格納すると、プロセッサ３１は、購入リストに格納される代金を合算する。代金を合算すると、プロセッサ３１は、合算した代金をユーザから収受する代金として決定する。  
また、プロセッサ３１は、操作部１３を通じて代金の入力を受け付けてもよい。また、プロセッサ３１は、ユーザから収受する代金を示す情報を外部装置から取得してもよい。
【００６３】
また、プロセッサ３１は、決定した代金を示す代金情報を決済端末２０に送信する機能を有する。  
たとえば、プロセッサ３１は、操作部１３を通じてオペレータから、クレジットカードで決済することを指示する操作の入力を受け付ける。当該操作を受け付けると、プロセッサ３１は、端末通信部３５を通じて、決定した代金を示す代金情報を決済端末２０に送信する。
【００６４】
また、プロセッサ３１は、決済端末２０からの印字データに基づいて用紙の画像を印刷する機能を有する。  
たとえば、プロセッサ３１は、端末通信部３５を通じて決済端末２０から印字データを受信する。印字データを受信すると、プロセッサ３１は、印字データに基づいて、印刷部１４を用いて用紙の画像を印刷する。たとえば、印字データは、クレジットカード情報（又は、クレジットカード情報の一部）、決済した代金又は決済した日時などから構成される。たとえば、プロセッサ３１は、印字データに基づいて、決済処理に関するレシートを印刷する。なお、プロセッサ３１は、ユーザが購入した商品の商品名などを追加してレシートに印刷してもよい。
【００６５】
次に、決済端末２０が実現する機能について説明する。決済端末２０が実現する機能は、プロセッサ４１がＮＶＭ４４などに格納されるプログラムを実行することで実現される。
【００６６】
まず、プロセッサ４１は、ユーザから収受する代金を示す代金情報を本体１０から受信する機能を有する。  
プロセッサ４１は、端末通信部４５を通じて本体１０から、ユーザから収受する代金を示す代金情報を受信する。
【００６７】
また、プロセッサ４１は、クレジットカードからクレジットカード情報を取得する機能を有する。  
プロセッサ４１は、ユーザが所持する磁気カード３又はＩＣカード４からクレジットカード情報を取得する。クレジットカード情報は、クレジットカード決済に必要な情報である。たとえば、クレジットカード情報は、クレジットカード番号などから構成される。
【００６８】
磁気カード３からクレジットカード情報を取得する場合、プロセッサ４１は、磁気リーダ２７を通じて磁気カード３の磁気ストライプからクレジットカード情報を読み取る。
【００６９】
決済端末２０が係合部１６に固定される場合、オペレータは、ユーザから受け取った磁気カード３を溝１７ａにセットして溝２６及び溝１７ｂに通す。プロセッサ４１は、磁気カード３が溝２６を通過する際に、磁気リーダ２７を通じてクレジットカード情報を読み取る。
【００７０】
また、決済端末２０が係合部１６から外されている場合、オペレータ又はユーザは、磁気カード３を溝２６に通す。プロセッサ４１は、磁気リーダ２７を通じてクレジットカード情報を読み取る。
【００７１】
ＩＣカード４からクレジットカード情報を取得する場合、プロセッサ４１は、ＩＣリーダ２５を通じてＩＣカード４のＩＣチップ４ａからクレジットカード情報を読み取る。
【００７２】
決済端末２０が係合部１６に固定される場合、オペレータは、ユーザから受け取ったＩＣカード４を開口部２４に挿入する。開口部２４にＩＣカード４が挿入されたことを検知すると、プロセッサ４１は、ＰＩＮの入力を受け付ける。たとえば、オペレータは、決済端末２０を係合部１６から外してユーザに渡す。ユーザは、決済端末２０の操作部２３にＰＩＮを入力する。
【００７３】
ＰＩＮの入力を受け付けると、プロセッサ４１は、ＩＣリーダ２５を通じてＰＩＮを用いてＩＣチップ４ａからクレジットカード情報を取得する。  
なお、決済端末２０は、当初から係合部１６から外されていてもよい。この場合、ユーザがＩＣカード４を開口部２４に挿入してもよい。
【００７４】
また、プロセッサ４１は、クレジットカード情報を用いて決済処理を行う機能を有する（決済手段）。  
プロセッサ４１は、受信した代金情報と取得したクレジットカード情報とに基づいて当該代金を収受するための決済リクエストを生成する。たとえば、決済リクエストは、代金情報及びクレジットカード情報を含む。
【００７５】
プロセッサ４１は、外部通信部４６を通じて、決済リクエストをクレジットサーバに送信する。  
なお、プロセッサ４１は、本体１０を通じて、決済リクエストをクレジットサーバに送信してもよい。たとえば、プロセッサ４１は、端末通信部４５を通じて、決済リクエストを本体１０に送信する。プロセッサ３１は、外部通信部３６を通じて、決済端末２０から受信した決済リクエストをクレジットサーバに送信する。
【００７６】
また、プロセッサ４１は、決済に関する印字データを本体１０に送信する機能を有する。  
たとえば、プロセッサ４１は、決済した代金及びクレジットカード情報などに基づいて、決済に関する印字データを生成する。たとえば、前述の通り、印字データは、クレジットカード情報（又は、クレジットカード情報の一部）、決済した代金又は決済した日時などから構成される。印字データの構成は、特定の構成に限定されるものではない。
【００７７】
印字データを生成すると、プロセッサ４１は、端末通信部３５を通じて、生成した印字データを本体１０に送信する。
【００７８】
次に、ＰＯＳ端末１の動作例について説明する。  
図６は、ＰＯＳ端末１の動作例を説明するためのフローチャートである。図６が示す例では、ＡＣＴ１１乃至１６は、本体１０のプロセッサ３１によって実行される。ＡＣＴ２１乃至２５は、決済端末２０のプロセッサ４１によって実行される。
【００７９】
ここでは、ユーザは、クレジットカードを用いて所定の商品を購入するものとする。オペレータは、ＰＯＳ端末１を用いて商品を決済する。
【００８０】
まず、プロセッサ３１は、ユーザが購入する商品の商品情報を読み取る（ＡＣＴ１１）。商品情報を読み取ると、プロセッサ３１は、ＰＬＵファイルを参照して、ユーザから収受する代金を決定する（ＡＣＴ１２）。商品の代金を決定すると、プロセッサ３１は、操作部１３を通じて、クレジットカードで決済することを指示する操作の入力を受け付ける（ＡＣＴ１３）。
【００８１】
当該操作の入力を受け付けると、プロセッサ３１は、端末通信部３５を通じて、決定した代金を示す代金情報を決済端末２０へ送信する（ＡＣＴ１４）。
【００８２】
決済端末２０のプロセッサ４１は、端末通信部４５を通じて、代金情報を受信する（ＡＣＴ２１）。代金情報を受信すると、プロセッサ４１は、ＩＣリーダ２５又は磁気リーダ２７を通じて、ＩＣカード４又は磁気カード３からクレジットカード情報を取得する（ＡＣＴ２２）。なお、ＰＩＮの入力を必要とする場合には、プロセッサ４１は、操作部２３を通じてＰＩＮの入力を受け付ける。
【００８３】
クレジットカード情報を取得すると、プロセッサ４１は、代金情報及びクレジットカード情報を用いて商品を決済する（ＡＣＴ２３）。商品を決済すると、プロセッサ４１は、決済に関する印字データを生成する（ＡＣＴ２４）。印字データを生成すると、プロセッサ４１は、端末通信部４５を通じて、生成した印字データを本体１０に送信する（ＡＣＴ２５）。印字データを送信すると、プロセッサ４１は、動作を終了する。
【００８４】
プロセッサ３１は、端末通信部３５を通じて、印字データを受信する（ＡＣＴ１５）。印字データを受信すると、プロセッサ３１は、印刷部１４を用いて、印字データに基づいて用紙に画像を印刷する（ＡＣＴ１６）。用紙に画像を印刷すると、プロセッサ３１は、動作を終了する。
【００８５】
なお、決済端末２０は、本体１０と無線で接続するものであってもよい。この場合、決済端末２０は、バッテリを内蔵する。また、本体１０は、係合部１６にバッテリを充電するための端子を備えてもよい。決済端末２０が係合部１６に係合される場合、決済端末２０のバッテリは、端子に接続して充電されるものであってもよい。
【００８６】
また、決済端末２０は、ポイントカードなどを読み取るものであってもよい。たとえば、決済端末２０は、ポイントカードから読み取ったデータを本体１０に送信するものであってもよい。また、決済端末２０は、本体１０からのコマンドに基づいて、ポイントカードに所定のデータを書き込むものであってもよい。
【００８７】
以上のように構成されたＰＯＳ端末は、セキュリティ規格を取得した決済端末を備える。ＰＯＳ端末は、当該決済端末を用いてクレジットカードで決済を行う。その結果、ＰＯＳ端末は、セキュリティ規格を取得してなくとも、自身がセキュリティ規格を取得した場合と同様の安全性を備えることができる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１…ＰＯＳ端末、３…磁気カード、４…ＩＣカード、４ａ…ＩＣチップ、１０…本体、１１…筐体、１２…表示部、１３…操作部、１４…印刷部、１５…ドロワ、１６…係合部、１７…溝、１７ａ…溝、１７ｂ…溝、２０…決済端末、２１…筐体、２２…表示部、２３…操作部、２４…開口部、２５…ＩＣリーダ、２６…溝、２７…磁気リーダ、３０…ケーブル、３１…プロセッサ、３２…ＲＯＭ、３３…ＲＡＭ、３４…ＮＶＭ、３５…端末通信部、３６…外部通信部、４１…プロセッサ、４２…ＲＯＭ、４３…ＲＡＭ、４４…ＮＶＭ、４５…端末通信部、４６…外部通信部、５５…端末通信部。
【図１】
2019087085.tif 000003
【図２】
2019087085.tif 000004
【図３】
2019087085.tif 000005
【図４】
2019087085.tif 000006
【図５】
2019087085.tif 000007
【図６】
2019087085.tif 000008